(57)【要約】【課題】変化に富んだ壁体を構築することのできる斬新なコンクリートブロックの提供。【解決手段】多角形状の輪郭を有するコンクリート製ブロック本体１の表面１Ａと裏面１Ｂに異なる意匠が施されているコンクリートブロックである。ブロック本体１の表裏両面１Ａ，１Ｂにはそれぞれ複数の凹溝４が所定の間隔をあけて平行に形成される。又、ブロック本体１の表面１Ａは、該面１Ａに形成される凹溝４の間が天然石の割り面を模した不規則な凹凸から成る割肌面５とされる。一方、裏面１Ｂには凹溝４の間で該凹溝４よりも底の浅い複数の意匠溝６が凹溝４に平行して形成される。【選択図】図９
2007291786.tif 000002
【特許請求の範囲】
【請求項１】
多角形状の輪郭を有するコンクリート製ブロック本体の表面と裏面に異なる意匠が施されていることを特徴するコンクリートブロック。
【請求項２】
ブロック本体の表裏両面にそれぞれ複数の凹溝が所定の間隔をあけて平行に形成されると共に、該ブロック本体の表裏いずれか一方の面には前記凹溝の間で該凹溝よりも底の浅い複数の意匠溝が凹溝に平行して形成され、前記ブロック本体の他方の面は該面に形成される凹溝の間が天然石の割り面を模した不規則な凹凸から成る割肌面とされていることを特徴とする請求項１記載のコンクリートブロック。
【請求項３】
ブロック本体が長方形の輪郭を有し、その短辺側の両端面には該端面の長さ方向に沿ってＵ字形の溝部が形成されることを特徴とする請求項１、又は２記載のコンクリートブロック。
【発明の詳細な説明】
【技術分野】
【０００１】
本発明は、主としてコンクリート塀などの壁体を構築するのに用いられる建築用のコンクリートブロック（積みブロック）に関する。
【背景技術】
【０００２】
一般に、家屋や敷地の囲いとする塀は、複数のコンクリートブロックを積み上げて構築されるが、係る積みブロックとしては高さ方向に穿設された長円形の貫通孔をもつ空洞コンクリートブロックが多用される（例えば、特許文献１）。
【０００３】
特に、この種のコンクリートブロックはその高さに比較して横幅の大きな長方形の輪郭を有しており、その短辺側の両端面には当該端面同士の突合せによって貫通孔と同形となるＵ字形の溝部が形成される。
【０００４】
又、係る空洞コンクリートブロックとして、端面に形成される溝部（凹部）の内壁間寸法を入口部よりも奥側部において大きくなるようにしたものが知られる（例えば、特許文献２）。
【０００５】
そして、以上のようなコンクリートブロックによれば、これをコンクリート基礎上に順次積み上げると共に、各ブロックの貫通孔にコンクリート基礎の上面より延び出された鉄筋を通し、それら貫通孔にモルタル若しくはコンクリートを充填することにより強靭な壁体を構築することができる。
【０００６】
【特許文献１】特開平７−２７９２７７号公報
【０００７】
【特許文献２】実開平６−２２４１７号公報
【発明の開示】
【発明が解決しようとする課題】
【０００８】
しかしながら、特許文献１、２などに開示される空洞コンクリートブロックは、その軽量化や補強用鉄筋の挿入を目的としてコンクリート製のブロック本体に貫通孔を形成しただけであるから、これによって構築された塀の壁面は平坦で趣がない。
【０００９】
又、上記従来のコンクリートブロックは、その表裏両面がいずれも平滑なコンクリート面であるから、これによって構築された塀などの壁体は如何にも人工的で圧迫感があり、意匠性も乏しいものであった。
【００１０】
尚、ブロック本体の表裏両面に縞模様などの意匠を施したものも存在するが、その種のブロックも表裏を気にせず積み上げられるだけで変化のない画一的な壁体しか構築することができない。
【００１１】
本発明は以上のような事情に鑑みて成されたものであり、その目的は変化に富んだ壁体を構築することのできる斬新なコンクリートブロックを提供することにある。
【課題を解決するための手段】
【００１２】
上記目的を達成するため、本発明に係るコンクリートブロックは、多角形状の輪郭を有するコンクリート製ブロック本体の表面と裏面に異なる意匠が施されていることを特徴する。
【００１３】
好ましくは、ブロック本体の表裏両面にそれぞれ複数の凹溝が所定の間隔をあけて平行に形成されると共に、該ブロック本体の表裏いずれか一方の面には前記凹溝の間で該凹溝よりも底の浅い複数の意匠溝が凹溝に平行して形成され、前記ブロック本体の他方の面は該面に形成される凹溝の間が天然石の割り面を模した不規則な凹凸から成る割肌面とされていることを特徴とする。
【００１４】
又、ブロック本体が長方形の輪郭を有し、その短辺側の両端面には該端面の長さ方向に沿ってＵ字形の溝部が形成されることを特徴とする。
【発明の効果】
【００１５】
本発明に係るコンクリートブロックによれば、多角形状の輪郭を有するコンクリート製ブロック本体の表面と裏面に異なる意匠が施されていることから、ブロック本体を積み上げて趣のある壁体を構築することができ、しかも表裏両面における異なる意匠によって一種類のブロック本体で趣の異なる壁体を構築することができる。
【００１６】
特に、ブロック本体の表裏いずれか一方の面には複数の凹溝の間で該凹溝よりも底の浅い複数の意匠溝が凹溝に平行して形成されることから非常に美的で、しかも他方の面は該面に形成される凹溝の間が天然石の割り面を模した不規則な凹凸から成る割肌面とされることから人工構造物を思わせない壁面を形成することができる。
【００１７】
又、長方形状の輪郭を有するブロック本体の両端面にＵ字形の溝部が形成されることから、隣り合うブロック本体同士を強固に結合して強靭な壁体を構築できる。
【発明を実施するための最良の形態】
【００１８】
以下、図面に基づき本発明を詳しく説明する。図１は本発明に係るコンクリートブロックを示した斜視図、図２は同コンクリートブロックの平面図である。図１および図２において、１は横長の長方形の輪郭を有したコンクリート製（特に軽量コンクリート製）のブロック本体であり、本例ではその幅Ｗが約３９０ｍｍ、高さＨが約１９０ｍｍ、厚さＴが約１２０ｍｍに設定されている。
【００１９】
係るブロック本体１は、コンクリート塀などの壁体を構築するための建築用ブロック（空洞コンクリートブロック）を構成するもので、該ブロック本体１にはその上端面から下端面に通じる長円状の貫通孔２が複数（図示例において３つ）形成されると共に、相対向する短辺側の両端面にはその長さ方向に沿って貫通孔２の半分の大きさを有するＵ字形の溝部３が形成される。尚、本例ではブロック本体１の上端面が平滑面とされるが、当該部分に溝部３と同形の横溝（鉄筋を横方向に通すためのもの）を形成する場合もある。
【００２０】
又、ブロック本体１の表裏両面１Ａ，１Ｂには、それぞれ上下方向に延びる複数の凹溝４が所定の間隔をあけて平行に形成される。
【００２１】
尚、係る凹溝４はブロック本体１の成形型にフレッシュコンクリートを充填することによりブロック本体１に一体として形成されるが、ブロック本体１の成型後にその表裏両面１Ａ，１Ｂを部分的に切削して凹溝４を形成することもできる。
【００２２】
又、本例において、ブロック本体１の表面１Ａには約５０ｍｍの間隔で７本の凹溝４が形成され、ブロック本体１の裏面１Ｂには約６７ｍｍの間隔で５本の凹溝４が形成されるが、凹溝４の本数ならびに間隔をブロック本体１の表裏両面１Ａ，１Ｂで同一にしてもよい。
【００２３】
ここに、図３はブロック本体の表面側を示した正面概略図、図４はブロック本体の裏面側を示した背面概略図であり、図５、図６にはそれぞれブロック本体の表裏両面の部分拡大断面を示す。
【００２４】
これらの図で明らかなように、ブロック本体１の表面１Ａと裏面１Ｂには本数の相違する凹溝４を含む異なる意匠（意匠パターン）が施される。
【００２５】
特に、図３および図５から明らかなように、ブロック本体１の表面１Ａは各凹溝４の間が割肌面５とされる。この割肌面５は、天然石の割り面を模した不規則な凹凸から成る起伏面で、その高低差は５ｍｍ程度に設定される。尚、このような割肌面５はショットブラスト加工や天然石から型取りした成形型を用いるなどして形成することができる。
【００２６】
一方、図４および図６から明らかなように、ブロック本体１の裏面１Ｂには、該裏面における各凹溝４の間で該凹溝よりも底の浅い複数の意匠溝６が形成される。この各意匠溝６は凹溝４に沿って平行に形成される直線状の細い溝で、その間には意匠溝６と略同幅の複数の凸条７が形成される。尚、意匠溝６は凹溝４の間に複数形成されるので、その間隔はブロック本体１の裏面１Ｂにおける凹溝４の間隔よりも小さい。
【００２７】
そして、上記のように構成される本発明のコンクリートブロックによれば、図７のようにコンクリート基礎１０上にブロック本体１を順次積み上げて家屋などを取り囲む壁体１１を構築することができる。
【００２８】
ここに、各ブロック本体１の貫通孔２には、コンクリート基礎１０の上端から延び出される図示せぬ鉄筋（縦筋）が通されると共に、それら貫通孔２内にはモルタル若しくはコンクリートが充填される。
【００２９】
尚、図７はブロック本体１の表裏両面１Ａ，１Ｂにおける意匠を省略して示しているが、ブロック本体１は、例えばその表面１Ａが壁体１１の内側になるように積み上げられるのであり、これによればブロック本体１の表裏両面１Ａ，１Ｂにおける異なる意匠によって、構築された壁体１１の内側と外側で趣を変えることができる。
【００３０】
又、ブロック本体１を一段ずつ表裏反転させて積み上げたり、縦一列ずつ表裏反転させて配列させたりすることにより、一種類のブロック本体１を用いながら変化に富む多様な壁体１１を構築することが可能となる。
【００３１】
以上、本発明に係るコンクリートブロックの好適な一例を説明したが、ブロック本体１の表裏両面１Ａ，１Ｂにおける意匠パターンは上記例に限らず、ブロック本体１の表裏両面１Ａ，１Ｂで凹溝４の方向を異ならせるなどしてもよい。例えば、図８のようにブロック本体１の表面１Ａに縦方向に延びる凹溝４を形成すると共に、裏面１Ｂに横方向に延びる凹溝４を形成するようにしてもよい。尚、図８においても、少なくとも一方の面側において凹溝４の間を割肌面とすることができる。
【００３２】
ここで、意匠パターンの好例を図９に示して説明すれば、（Ａ）は縦方向に延びる複数の凹溝４を横方向に所定の間隔をあけて形成した第１の意匠パターン、（Ｂ）は第１の意匠パターンよりも凹溝４の間隔を小さくした第２の意匠パターン、（Ｃ）は縦方向に延びる複数の凹溝４を横方向に所定の間隔をあけて形成し各凹溝４の間を割肌面５とした第３の意匠パターン、（Ｄ）は縦方向に延びる複数の凹溝４を横方向に所定の間隔をあけて形成し各凹溝４の間に点線で示される複数の意匠溝６を形成した第４の意匠パターン、（Ｅ）は縦方向に延びる凹溝４を面中央部のみに密集状態で形成した第５の意匠パターン、（Ｆ）は横方向に延びる複数の凹溝４を縦方向に所定の間隔をあけて形成した第６の意匠パターン、（Ｇ）は面全体を割肌面５とした第７の意匠パターンであり、本発明ではそれら意匠パターンの中から選ばれる２種類の意匠パターンをブロック本体１の表裏両面１Ａ，１Ｂに施すことができる。尚、２種類の意匠パターンの好適な組み合わせとして、Ａ−Ｂ、Ａ−Ｃ、Ａ−Ｄ、Ａ−Ｆ、Ａ−Ｇ、Ｂ−Ｃ、Ｂ−Ｄ、Ｂ−Ｆ、Ｂ−Ｇ、Ｃ−Ｄ、Ｃ−Ｅ、Ｃ−Ｆ、Ｃ−Ｇなどが挙げられる。
【００３３】
一方、ブロック本体１の形状は、長方形のほか、正方形、三角形、５角形、６角形などの多角形状の輪郭とすることができる。
【００３４】
又、係るコンクリートブロックは、塀などの壁体を構築する積みブロックほか、外壁材や擁壁構成材などとしても用途もある。
【図面の簡単な説明】
【００３５】
【図１】本発明に係るコンクリートブロックを示す斜視図
【図２】同コンクリートブロックの平面図
【図３】ブロック本体の表面側を示す正面概略図
【図４】ブロック本体の裏面側を示す背面概略図
【図５】ブロック本体の表面を示す部分拡大断面図
【図６】ブロック本体の裏面を示す部分拡大断面図
【図７】本発明に係るコンクリートブロックの使用状態を示す斜視図
【図８】本発明の変更例を示すブロック本体の表面図（ａ）および裏面図（ｂ）
【図９】ブロック本体の表裏両面に施される意匠のパターン例を示す説明図
【符号の説明】
【００３６】
１  ブロック本体
１Ａ  ブロック本体の表面
１Ｂ  ブロック本体の裏面
２  貫通孔
３  溝部
４  凹溝
５  割肌面
６  意匠溝
【図１】
2007291786.tif 000003
【図２】
2007291786.tif 000004
【図３】
2007291786.tif 000005
【図４】
2007291786.tif 000006
【図５】
2007291786.tif 000007
【図６】
2007291786.tif 000008
【図７】
2007291786.tif 000009
【図８】
2007291786.tif 000010
【図９】
2007291786.tif 000011